(57)【要約】【課題】簡単な構造で安価に提供することができ、飲料容器から飲料がこぼれにくく、容易にストローにより飲料を飲むこともできる飲料容器と飲料容器用アダプタを提供する。【解決手段】一端部に筒状の注出口１４が形成された容器本体１２と、注出口１４に取り付けられた内蓋２２とを備える。内蓋２２は、外側面が注出口１４に圧接し注出口基端部１４ｂに向かって径が僅かに小さくなるテーパ状に形成された取付部２４と、取付部２４の小径部２４ａからさらに容器本体１２の底面１２ａに向かって径が小さくなるようにテーパ状に形成され、容器本体１２内で内蓋２２の一端部を閉鎖するように形成された閉鎖部２６と、閉鎖部２６を貫通して設けられストロー３０が挿通可能な透孔２８とを備える。【選択図】      図１
2004306983.tif 000002
【特許請求の範囲】
【請求項１】
一端部に筒状の注出口が形成された容器本体と、上記注出口に取り付けられた内蓋とを備え、上記内蓋は、外側面が上記注出口に圧接し注出口基端部に向かって径が僅かに小さくなるテーパ状に形成された取付部と、この取付部の小径部からさらに上記容器本体の底面に向かって径が小さくなるようにテーパ状に形成され上記容器本体内で上記内蓋の一端部を閉鎖するように形成された閉鎖部と、上記閉鎖部を貫通して設けられストローが挿通可能な透孔とを備えたことを特徴とする飲料容器。
【請求項２】
上記容器本体には、上記内蓋に挿通されるストローを備えたことを特徴とする請求項１記載の飲料容器。
【請求項３】
上記容器本体はペットボトルであり、上記容器本体の注出口は、容器本体底部に向かうに従い僅かに内径が小さくなったテーパ状に形成され、上記取付部のテーパ状の外側面がこの注出口のテーパ状内周面に圧入されて圧接していることを特徴とする請求項１記載の飲料容器。
【請求項４】
上記透孔はストローを保持可能な径に形成され、上記閉鎖部には空気穴が形成されていることを特徴とする請求項１，２または３記載の飲料容器。
【請求項５】
一端部に筒状の注出口が形成された容器本体の注出口に取り付けられる内蓋であって、上記内蓋は、外側面が上記注出口に圧接し注出口基端部に向かって径が僅かに小さくなるテーパ状に形成された取付部と、この取付部の小径部からさらに上記容器本体の底面に向かって径が小さくなるようにテーパ状に形成され上記容器本体内で上記内蓋の一端部を閉鎖するように形成された閉鎖部と、上記閉鎖部を貫通して設けられストローが挿通可能な透孔とを備えたことを特徴とする飲料容器用アダプタ。
【請求項６】
一端部に筒状の注出口が形成された容器本体の注出口に取り付けられる内蓋であって、上記内蓋は、外側面が上記注出口に圧接し注出口基端部に向かって径が僅かに小さくなるテーパ状に形成された取付部と、この取付部の小径部からさらに上記容器本体の底面に向かって径が小さくなるようにテーパ状に形成され上記容器本体内で上記内蓋の一端部を閉鎖するように形成された閉鎖部と、上記閉鎖部を貫通して設けられストローが挿通可能な透孔とを備え、上記閉鎖部には空気穴が形成され、上記透孔には上記容器本体底面に達するストローを取り付け可能に設けられ、このストローは上記内蓋の上記透孔に保持される大径管とこの大径管に挿通され進退自在に設けられた小径管とから成り、上記大径管は上記透孔から上記容器本体の底部の角に到達可能に設けられ、上記小径管は上記内蓋の内側に位置して伸縮自在に設けられていることを特徴とする飲料容器用アダプタ。
【請求項７】
上記閉鎖部は、上記透孔に向かうに従い外径が小さくなる割合が、上記取付部よりも大きいテーパ状に形成され、上記閉鎖部の端部の径がほぼ上記ストローを挿通可能な径に形成されていることを特徴とする請求項５または６記載の飲料容器用アダプタ。
【発明の詳細な説明】
【０００１】
【発明の属する技術分野】
この発明は、飲み物を収容する飲料容器と飲料容器用アダプタに関する。
【０００２】
【従来の技術】
【特許文献１】特表２００２−５１５３８４号公報
従来、飲料容器であるペットボトルは、注出口に直接口をつけて内容物である飲料を飲む場合が多い。また、飲みやすさ等の観点から注出口にストローを差して飲むこともあり、ペットボトル用のストローは、ペットボトルにストローを取り付けたり、ペットボトル内にストローを収容し使用するときに一端部を突出させるものなど、様々なストローが開発されている。
【０００３】
ペットボトル内に蛇腹式のストローを収容し、キャップを外してストローを引出可能としたものとして、特許文献１に開示されている飲料容器用ストローが提案されている。これは、飲料容器の首部内にストローが挿通されたストッパを挿入し、飲用に際してストローの蛇腹管を引き延ばして使用可能としたものである。
【０００４】
【発明が解決しようとする課題】
しかしながら、特許文献１の場合、蛇腹状のストローを引き出して飲む際にストローの吸い口部に手が触れ雑菌等が付着し、衛生上好ましくない上、ストローを収納する際も蛇腹部分の収縮が難しくきれいに収納できないものであった。さらに、特許文献１のストッパはその容器専用のものであり、その容器のネック部の内径に合わせた外径のストッパを設けなければならず、汎用性のないものであった。また、このストッパをネック内に挿入する際にストッパの底面がネックの開口縁に当たってスムーズに挿入できない場合が発生しやすく、製造上の歩留まりが悪くなるものであり、製造コスト及び製品コストが上昇してしまうものであった。さらに、ネック部内に設けられた蛇腹部分は引き延ばしに力を要し、何度も飲用と収納を繰り返すうちに、ストローの端部が潰れてしまい、飲みにくいものとなってしまうものであった。
【０００５】
この発明は上記従来の技術の問題点に鑑みてなされたものであり、簡単な構造で安価に提供することができ、飲料容器から飲料がこぼれにくく、容易にストローにより飲料を飲むこともできる飲料容器と飲料容器用アダプタを提供することを目的とする。
【０００６】
【課題を解決するための手段】
この発明は、一端部に筒状の注出口が形成された容器本体と、上記注出口に取り付けられた内蓋とを備え、上記内蓋は、外側面が上記注出口に圧接し注出口基端部に向かって径が僅かに小さくなるテーパ状に形成された取付部と、この取付部の小径部からさらに上記容器本体の底面に向かって径が小さくなるようにテーパ状に形成され上記容器本体内で上記内蓋の一端部を閉鎖するように形成された閉鎖部と、上記閉鎖部を貫通して設けられストローが挿通可能な透孔とを備えた飲料容器である。
【０００７】
上記容器本体には、上記内蓋に挿通されるストローを備える。上記容器本体はペットボトルであり、上記容器本体の注出口は、容器本体底部に向かうに従い僅かに内径が小さくなったテーパ状に形成され、上記取付部のテーパ状の外側面がこの注出口のテーパ状内周面に圧入されて圧接している。上記透孔はストローを保持可能な径に形成され、上記閉鎖部には空気穴が形成されている。
【０００８】
またこの発明は、一端部に筒状の注出口が形成された容器本体の注出口に取り付けられる内蓋であって、上記内蓋は、外側面が上記注出口に圧接し注出口基端部に向かって径が僅かに小さくなるテーパ状に形成された取付部と、この取付部の小径部からさらに上記容器本体の底面に向かって径が小さくなるようにテーパ状に形成され上記容器本体内で上記内蓋の一端部を閉鎖するように形成された閉鎖部と、上記閉鎖部を貫通して設けられストローが挿通可能な透孔とを備えた飲料容器用アダプタである。
【０００９】
またこの発明は、一端部に筒状の注出口が形成された容器本体の注出口に取り付けられる内蓋であって、上記内蓋は、外側面が上記注出口に圧接し注出口基端部に向かって径が僅かに小さくなるテーパ状に形成された取付部と、この取付部の小径部からさらに上記容器本体の底面に向かって径が小さくなるようにテーパ状に形成され上記容器本体内で上記内蓋の一端部を閉鎖するように形成された閉鎖部と、上記閉鎖部を貫通して設けられストローが挿通可能な透孔とを備え、上記閉鎖部には空気穴が形成され、上記透孔には上記容器本体底面に達するストローを取り付け可能に設けられ、このストローは上記内蓋の上記透孔に保持される大径管とこの大径管に挿通され進退自在に設けられた小径管とから成り、上記大径管は上記透孔から上記容器本体の底部の角に到達可能に設けられ、上記小径管は上記内蓋の内側に位置して伸縮自在に設けられている飲料容器用アダプタである。
【００１０】
上記閉鎖部は、上記透孔に向かうに従い外径が小さくなる割合が、上記取付部よりも大きいテーパ状に形成され、上記閉鎖部の端部の径がほぼ上記ストローを挿通可能な径に形成されている。さらに、上記ストローの上記容器本体の底面側端部の周縁部には、切欠部が形成されているとよい。空気穴は、容器本体を立てた状態で、内蓋内に浸入している飲料が容器本体内に自然落下するように、ある程度の大きさにまたは複数個あけられていると良い。
【００１１】
【発明の実施の形態】
以下、この発明の実施形態について図面に基づいて説明する。図１〜図４はこの発明の一実施形態を示すものであり、この実施形態の飲料容器１０は、例えばＰＥＴ（ポリエチレンテレフタレート）樹脂製のペットボトルであり、略有底筒状の容器本体１２を有し、容器本体１２の先端部には筒状の注出口１４が一体に形成されている。注出口１４の外側面には雄ねじ１６が形成されている。注出口１４には、キャップ１８が、着脱自在に設けられている。キャップ１８の内周面には、雌ねじ２０が形成され、注出口１４の雄ねじ１６に螺合されている。
【００１２】
注出口１４の内周面は、容器本体１２の底面１２ａに向かうに従い僅かに内径が小さくなったテーパ状に形成されている。これは、ペットボトルをブロー成形する際に注出口１４に入れた型の抜きテーパである。注出口１４の内側には、飲料容器用アダプタ１１のＰＥＴ樹脂製の内蓋２２が圧入により固定されている。内蓋２２は、注出口１４のテーパ状の内周面に嵌合するように、外側面が注出口１４の基端部１４ｂに向かって径が小さくなるテーパ状に形成された取付部２４が設けられている。内蓋２２の取付部２４は、注出口１４の先端部１４ａ側の端部と一致するか僅かに下方に嵌り込んで、注出口１４の内周面に密に圧接している。取付部２４の、注出口１４の基端部１４ｂ側の端部には、取付部２４の小径部２４ａからさらに容器本体１２の底面１２ａに向かって径が小さくなるようにテーパ状に形成され、容器本体１２内で内蓋２２の下端部を閉鎖する閉鎖部２６が設けられている。閉鎖部２６は、下端部に向かうに従い外径が小さくなる割合が、取付部２４よりも大きいテーパ状に形成されている。
【００１３】
閉鎖部２６のほぼ中央は、後述するストロー３０の大径管３０ａの外径よりも僅かに大きな内径の透孔２８が形成され、ストロー３０が挿通される。透孔２８は、注出口１４の基端部よりも容器本体１２の底面１２ａ側に位置している。透孔２８の内径は、閉鎖部２６の先端の小径部２６ａとほぼ等しいか僅かに小さい内径に形成されている。また、閉鎖部２６の、透孔２８の近傍には、小さい空気穴３１が形成されている。この空気穴３１は、容器本体１２を立てた状態で、内蓋２２内に浸入している飲料が容器本体１２内に自然落下する程度の大きさに、一個または複数個あけられていると良い。
【００１４】
内蓋２２の透孔２８は、ストロー３０が挿通可能に形成されている。ストロー３０は、内蓋２２の透孔２８に保持される大径管３０ａとこの大径管３０ａに挿通され進退自在に設けられた小径管３０ｂとから成る。大径管３０ａは２８透孔から容器本体１２の底部１２ａの角に到達可能に設けられ、小径管３０ｂは内蓋２２の内側に位置して大径管３０ａ内を伸縮自在に設けられている。ストロー３０の、容器本体１２の底面１２ａ側の周縁部には、Ｕ字形等の切欠部３２が数カ所に形成されている。
【００１５】
ストロー３０の大径管３０ａは、透孔２８に嵌合され引き抜き方向にはストロー３０が簡単には抜けないように取り付けられていると良い。これにより小径管３０ｂの引き出しが容易となる。また、大径管３０ａが透孔２８よりも小さい場合、空気穴３１が不要となり、内蓋２２の製造コストを抑えることができる。
【００１６】
次に、この実施形態の飲料容器１０の使用方法について説明する。飲料容器１０には、内蓋２２が予め装着され、飲料が収容されている。また、容器本体１２の外側に別体に又は内部にストロー３０が設けられていても良い。予め容器本体１２内に飲料とともにストロー３０が設けられている場合は、図３に示すようにストロー３０の小径管３０ｂを縮めて内蓋２２内に収容した状態にする。
【００１７】
飲料容器１０から飲料を飲むときは、キャップ１８を外してストロー３０を内蓋２２の透孔２８から差し込む。そして、図４に示すように、ストロー３０の小径管３０ｂを伸ばして飲用する。このときストロー３０の大径管３０ａが内蓋２２の透孔２８に保持固定されていると、片手で容器本体１２を保持し他方の手で簡単にストロー３０の小径管３０ｂを引き出すことができる。そしてストロー３０に口をつけて飲料を飲む。ストロー３０の先端に切欠部３２が設けられている場合、飲料が入りやすく吸い込みやすい。
【００１８】
この実施形態の飲料容器１０及び飲料容器用アダプタ１１によれば、簡単な構造でストロー３０で容器本体１２から飲料を飲むことができる。飲料容器用アダプタ１１は、取付部２４がテーパ状に形成され、容器本体１２の注出口１４内に嵌合する場合も、注出口１４の内径に多少のバラツキがあっても、テーパにより確実に密着させ固定することができ、内蓋２２と注出口１４との隙間から飲料が漏れることがない。また、容器本体１２の注出口１４への取り付け工程においても、閉鎖部２６のテーパにより、容易に迅速に挿入することができ、自動化も簡単に可能である。さらに、取付部２４のテーパにより、ペットボトル等の容器本体１２の種類による内径の多少の差があっても、取付部２４を注出口１４に圧縮状態で圧入し、取付部２４は多少圧縮変形して取り付けられる。これにより、１種類または少ない種類の内蓋２２で多種類の容器本体１２に対応することができ、内蓋２２の汎用性が高く、コストも極めて低いものとすることができる。また、取付用の自動機も共用可能であり、製造コストを大幅に抑えることができる。
【００１９】
さらに、透孔２８はテーパ状の閉鎖部２６の小径部２６ａとほぼ等しいか僅かに小さい内径に形成され、ストロー３０を挿入する際も、ストローが閉鎖部２６の内面に案内されて容易に透孔２８に差し込まれる。また、内蓋２２は注出口１４に密着され、透孔２８はストロー３０が挿入される程度の小さい孔であり、誤って容器本体１２を倒しても、飲料が大量に流れ出ることはなく、安全である。ストロー３０は、使用していないときは内蓋２２の内側に収容され、キャップ１８で覆われるため、ごみが付着することがなく衛生的である。さらに、内蓋２２は、容器本体１２の上方であって注出口１４の基端部付近またはその下方に位置しているので、飲料の液面から内蓋２２までの空気量が少なく、飲料が接する空気が少ないので飲料の酸化も抑えることができる。また、開栓後に外気や口に触れて容器本体内に戻る飲料の量が少なくなるため、開栓後の雑菌の繁殖を抑える。
【００２０】
なお、この発明の飲料容器と飲料容器用アダプタは、上記実施形態に限定されるものではなく、内蓋の形状やストローの長さ構造等は、適宜変更可能である。例えばストローは、内蓋内に位置した部分を蛇腹状に形成して、伸縮可能としても良く、ストロー３０の小径管３０ａの先端部には、ストロー３０を引くときの手がかりとなる鍔部が形成されていても良い。内蓋は、ペットボトルの容器本体以外にも、アルミボトルやビン等、取付部の形状を変えることによりいろいろな飲料容器に取り付けることができる。注出口の取付部のテーパは、直線状のものの他、若干のうねりが形成されたものでも良く、これにより内蓋との嵌合がより強固になる。
【００２１】
【発明の効果】
この発明の飲料容器と飲料容器用アダプタは、容器を誤って倒しても容器本体内の飲料がこぼれにくいものである。さらに、簡単にストローで飲料を飲むことができ、取り付けも容易である。また、この飲料容器用アダプタを取り付けた飲料容器の製造も容易で、テーパ状の取付部により、容器本体の注出口の多少のバラツキにも対応することができ、コストも極めて安価に製造可能である。また、ストローは簡単に引き出したり収容したりすることができ、使用しないときはキャップに覆われているため、衛生的である。
【図面の簡単な説明】
【図１】この発明の一実施形態の飲料容器の分解斜視図である。
【図２】この実施形態の飲料容器の内蓋を示す平面図（Ａ）と縦断面図（Ｂ）である。
【図３】この実施形態の飲料容器の縦断面図である。
【図４】この実施形態の飲料容器のストローを引き出した状態を示す縦断面である。
【符号の説明】
１０  飲料容器
１１  飲料容器用アダプタ
１２  容器本体
１４  注出口
１８  キャップ
２２  内蓋
２４  取付部
２６  閉鎖部
２８  透孔
３０  ストロー
３０ａ  大径管
３０ｂ  小径管
【図１】
2004306983.tif 000003
【図２】
2004306983.tif 000004
【図３】
2004306983.tif 000005
【図４】
2004306983.tif 000006